(57)【要約】【課題】揺動装置の保守作業を容易に行うことができるグレンタンクを備えたコンバインを提供する。【解決手段】グレンタンク（５）の下部に、穀粒を後側に移送する前後方向に延在する搬送螺旋（２０Ａ）を設け、搬送螺旋（２０Ａ）の上側に揺動装置（３０）を設け、揺動装置（３０）を、前後方向に延在する揺動軸（３１）と揺動軸（３１）に支持される穀粒の落下を促進する拡散棒（３２）で形成し、揺動軸（３１）の前部をグレンタンク（５）の前壁（５Ａ）に形成された開口部（３３）を覆う前蓋（３４）に回転自在に支持し、揺動軸（３１）の後部をグレンタンク（５）の後壁（５Ｂ）に回転自在に支持することにより解決される。【選択図】図６
2016154472.tif 000002
【特許請求の範囲】
【請求項１】
選別処理された穀粒を貯留するグレンタンク（５）を備えたコンバインにおいて、
該グレンタンク（５）の下部に、穀粒を後側に移送する前後方向に延在する搬送螺旋（２０Ａ）を設け、該搬送螺旋（２０Ａ）の上側に揺動装置（３０）を設け、
該揺動装置（３０）を、前後方向に延在する揺動軸（３１）と該揺動軸（３１）に支持される穀粒の落下を促進する拡散棒（３２）で形成し、
前記揺動軸（３１）の前部をグレンタンク（５）の前壁（５Ａ）に形成された開口部（３３）を覆う前蓋（３４）に回転自在に支持し、前記揺動軸（３１）の後部をグレンタンク（５）の後壁（５Ｂ）に回転自在に支持したことを特徴とするコンバイン。
【請求項２】
前記揺動軸（３１）の前部に脱落防止部材（４７）を設け、該脱落防止部材（４７）を前蓋（３４）に係合させた請求項１記載のコンバイン。
【請求項３】
前記搬送螺旋（２０Ａ）と拡散棒（３２）の間に、穀粒の落下量を調整する螺旋カバー（２５）を設け、正面視において前記拡散棒（３２）の左右方向の先端部を螺旋カバー（２５）の左右方向の先端部とグレンタンク（５）の底壁（５Ｃ，５Ｄ）の間に臨ませた請求項１又は２記載のコンバイン。
【請求項４】
前記搬送螺旋（２０Ａ）のタンク螺旋軸（２０）と、前記螺旋カバー（２５）の支軸（２４）と、前記揺動軸（３１）とを、前記グレンタンク（５）の左右方向に直交する垂線上に設けた請求項１〜３記載のいずれか１項に記載のコンバイン。
【発明の詳細な説明】
【技術分野】
【０００１】
本発明は、貯留された穀粒の滞留を防止する揺動装置を設けたグレンタンクを備えたコンバインに係るものである。
【背景技術】
【０００２】
従来、グレンタンクの下部に落下してくる穀粒を後側に移送する搬送螺旋を設け、搬送螺旋の上側にグレンタンクに貯留された穀粒の落下を促進する揺動装置を設けたグレンタンクを備えたコンバインが知られている。
【先行技術文献】
【特許文献】
【０００３】
【特許文献１】特開２０１１―９２０８６号公報
【発明の概要】
【発明が解決しようとする課題】
【０００４】
しかし、従来の揺動装置を構成する揺動軸の前部はグレンタンクの前壁に支持され、揺動軸の後部はグレンタンクの後壁に支持されているために、揺動装置を構成する拡散棒の交換等を行う場合には、グレンタンクの前壁を取り外して揺動装置を引き出す必要があり揺動装置の保守作業の負担が大きいという問題があった。
そこで、本発明の主たる課題は、かかる問題点を解消することにある。
【課題を解決するための手段】
【０００５】
上記課題を解決した本発明は次記のとおりである。
請求項１に係る発明は、選別処理された穀粒を貯留するグレンタンク（５）を備えたコンバインにおいて、
該グレンタンク（５）の下部に、穀粒を後側に移送する前後方向に延在する搬送螺旋（２０Ａ）を設け、該搬送螺旋（２０Ａ）の上側に揺動装置（３０）を設け、該揺動装置（３０）を、前後方向に延在する揺動軸（３１）と該揺動軸（３１）に支持される穀粒の落下を促進する拡散棒（３２）で形成し、前記揺動軸（３１）の前部をグレンタンク（５）の前壁（５Ａ）に形成された開口部（３３）を覆う前蓋（３４）に回転自在に支持し、前記揺動軸（３１）の後部をグレンタンク（５）の後壁（５Ｂ）に回転自在に支持したことを特徴とするコンバインである。
【０００６】
請求項２に係る発明は、前記揺動軸（３１）の前部に脱落防止部材（４７）を設け、該脱落防止部材（４７）を前蓋（３４）に係合させた請求項１記載のコンバインである。
【０００７】
請求項３に係る発明は、前記搬送螺旋（２０Ａ）と拡散棒（３２）の間に、穀粒の落下量を調整する螺旋カバー（２５）を設け、正面視において前記拡散棒（３２）の左右方向の先端部を螺旋カバー（２５）の左右方向の先端部とグレンタンク（５）の底壁（５Ｃ，５Ｄ）の間に臨ませた請求項１又は２記載のコンバインである。
【０００８】
請求項４に係る発明は、前記搬送螺旋（２０Ａ）のタンク螺旋軸（２０）と、前記螺旋カバー（２５）の支軸（２４）と、前記揺動軸（３１）とを、前記グレンタンク（５）の左右方向に直交する垂線上に設けた請求項１〜３記載のいずれか１項に記載のコンバインである。
【発明の効果】
【０００９】
請求項１記載の発明によれば、グレンタンク（５）の下部に、穀粒を後側に移送する前後方向に延在する搬送螺旋（２０Ａ）を設け、搬送螺旋（２０Ａ）の上側に揺動装置（３０）を設け、揺動装置（３０）を、前後方向に延在する揺動軸（３１）と揺動軸（３１）に支持される穀粒の落下を促進する拡散棒（３２）で形成し、揺動軸（３１）の前部をグレンタンク（５）の前壁（５Ａ）に形成された開口部（３３）を覆う前蓋（３４）に回転自在に支持し、揺動軸（３１）の後部をグレンタンク（５）の後壁（５Ｂ）に回転自在に支持しているので、拡散棒（３２）の交換等の保守作業を行う場合に、グレンタンク（５）の前壁（５Ａ）から前蓋（３４）を取り外すことによってグレンタンク（５）から拡散棒（３２）を支持する揺動軸（３１）を引き出すことができ取外作業の負担を軽減することができる。また、前蓋（３４）と揺動軸（３１）は一体として組立部品として引き出されるので、グレンタンク（５）への前蓋（３４）と揺動軸（３１）の組付作業の負担も軽減することができる。
【００１０】
請求項２記載の発明によれば、請求項１記載の発明による効果に加えて、揺動軸（３１）の前部に脱落防止部材（４７）を設け、脱落防止部材（４７）を前蓋（３４）に係合させているので、取外作業時に揺動軸（３１）が前蓋（３４）から脱落することを防止することができる。また、前蓋（３４）と揺動軸（３１）の前後方向の位置が維持できるので、組付作業の負担もより軽減することができる。
【００１１】
請求項３記載の発明によれば、請求項１又は２記載の発明による効果に加えて、搬送螺旋（２０Ａ）と拡散棒（３２）の間に、穀粒の落下量を調整する螺旋カバー（２５）を設け、正面視において拡散棒（３２）の左右方向の先端部を螺旋カバー（２５）の左右方向の先端部とグレンタンク（５）の底壁（５Ｃ，５Ｄ）の間に臨ませているので、拡散棒（３２）によって螺旋カバー（２５）とグレンタンク（５）の底壁（５Ｃ，５Ｄ）の上側に貯留されている穀粒に振動を加えて、穀粒を搬送螺旋（２０Ａ）に効率良く落下させることができる。
【００１２】
請求項４記載の発明によれば、請求項１〜３記載のいずれか１項に記載の発明による効果に加えて、搬送螺旋（２０Ａ）のタンク螺旋軸（２０）と、螺旋カバー（２５）の支軸（２４）と、揺動軸（３１）とを、グレンタンク（５）の左右方向に直交する垂線上に設けているので、タンク螺旋軸（２０）と揺動軸（３１）が穀粒の下側への移動の障害とならず、搬送螺旋（２０Ａ）の左右上側からほぼ均等な量の穀粒を落下させることができる。
【図面の簡単な説明】
【００１３】
【図１】コンバインの正面図である。
【図２】コンバインの左側面図である。
【図３】コンバインの背面図である。
【図４】グレンタンクの開閉状態を示す平面図である。
【図５】グレンタンクの（ａ）は正面図、（ｂ）は左側面図である。
【図６】グレンタンクを前後方向に縦断面した右側図である。
【図７】図６の前部の拡大図である。
【図８】グレンタンクの前壁の下部に設けられたグレンタンクのタンク螺旋軸と揺動装置の回転軸を連結するアームの説明図である
【図９】グレンタンクの後壁の下部に設けられた揺動装置の回転軸を支持するハウジングの説明図である。
【図１０】横排出筒を備える排出筒を置載する支持ブラケットの説明図である。
【発明を実施するための形態】
【００１４】
以下、本発明の汎用コンバインについて添付図面を参照しつつ説明する。
図１〜３に示すように、汎用コンバインは、機体フレーム１の下側に土壌面を走行するための左右一対のクローラからなる走行装置２が設けられ、機体フレーム１の上側に脱穀・選別を行なう脱穀装置３が設けられ、脱穀装置３の前側に圃場の穀稈を収穫する刈取前処理装置４が設けられている。脱穀装置３で脱穀・選別された穀粒は脱穀装置３の右側に設けられたグレンタンク５に貯留され、貯留された穀粒はグレンタンク５の後側に設けられた排出筒７によって外部へ排出される。また、グレンタンク５の前側には操縦者が搭乗する操縦部６が設けられている。
【００１５】
＜刈取前処理装置＞
刈取前処理装置４は、倒伏した穀稈、大豆やそば等の丈の低い穀稈、油菜や菜の花等の丈の高い穀稈を掻き込む掻込み装置４Ａと、掻込み装置４Ａによって掻き込まれた穀稈の株元を切断する刈刃装置４Ｂと、掻込み装置４Ａによって掻き込まれた穀稈を寄せ集めるオーガ装置４Ｃと、脱穀装置３にオーガ装置４Ｃよって寄せ集められた穀稈を揚上搬送するフィーダハウス４Ｄを備えている。また、オーガ装置４Ｃの上側で絡み合った穀稈を切断するために略上下方向に延在する刈刃装置（図示省略）をオーガ装置４Ｃの側壁に設けることもできる。
【００１６】
掻込み装置４Ａは、オーガ装置４Ｃの全幅とほぼ同一幅に形成され、オーガ装置４Ｃの上側に設けられ、刈刃装置４Ｂは、前部から後部に緩やかに後上がり傾斜して形成され、オーガ装置４Ｃの前下部に設けられている。
【００１７】
オーガ装置４Ｃは、汎用コンバインの機体の全幅とほぼ同一幅に形成され、フィーダハウス４Ｄの前側に設けられ、オーガ装置４Ｃの左右前部には、穀稈を分草する分草体４Ｅが設けられている。また、フィーダハウス４Ｄは、オーガ装置４Ｃと脱穀装置３の間に設けられている。
【００１８】
＜グレンタンク＞
図４に示すように、グレンタンク５は、機体フレーム１のグレンタンク５の後側に設けられた上下方向に延在する支軸１０を中心として左右方向に開閉することができる。これにより、グレンタンク５の前部を右側に回動して、例えば、後述するグレンタンク５の搬送螺旋２０Ａを有するタンク螺旋軸２０に詰まった穀粒の除去、揺動装置３０を構成する変形した拡散棒３２の交換、螺旋カバー２５のカバープレート２５Ａの位置調整を効率良く行うことができる。
【００１９】
図５に示すように、グレンタンク５の前壁５Ａには、脱穀装置３の右壁３Ａに設けられた前後方向に延在する固定ピン１１に係合してグレンタンク５を閉鎖状態に維持するロック装置１２が設けられている。ロック装置１２は、グレンタンク５の前壁５Ａに設けられた前後方向に延在する支軸１３Ａを中心として左右方向に回動する操作レバー１３と、グレンタンク５の左壁５Ｅから左側に突出するプレート１４に設けられた前後方向に延在する支軸１５Ａを中心として左右方向に回動するフックプレート１５と、操作レバー１３とフックプレート１５を連結する連結棒１６から構成されている。なお、符号８は、脱穀装置３の選別室で収集された穀粒をグレンタンク５に揚上搬送する揚穀筒である。
【００２０】
フックプレート１５の上部には、固定ピン１１と係合する切欠き溝が設けられている。また、連結棒１６は、左側面視において操作レバー１３に固定された下部から上側に向かって湾曲して上下方向に延在した後に、上部において後側に湾曲してフックプレート１５に固定されている。操作レバー１３を支軸１３Ａを中心として右側に回動させると、フックプレート１５が支軸１５Ａを中心として右側に回動してフックプレート１５と固定ピン１１の係合が解除される。一方、操作レバー１３を支軸１３Ａを中心として左側に回動させると、フックプレート１５が支軸１５Ａを中心として左側に回動してフックプレート１５と固定ピン１１が係合する。これにより、グレンタンク５の前壁５Ａの前側に形成された設置スペースを有効に活用して、収納状態、すなわち、支軸１０を中心としてグレンタンク５の前部を左側に回動した状態を確実に維持することができる。
【００２１】
機体フレーム１のグレンタンク５の下部の左側に設けられたプーリ１７に伝動されたエンジンの駆動力である回転は、ベルト１８を介してタンク螺旋軸２０の前端部に装着されたプーリ１９に伝動される。
【００２２】
図６，７に示すように、タンク螺旋軸２０の外周部には、グレンタンク５から落下してくる穀粒をグレンタンク５の後壁５Ｂの下部後側に設けられた連通室９に移送するための搬送螺旋２０Ａが設けられている。なお、連通室９は、グレンタンク５内の穀粒を排出筒７に引き継ぐ室である。また、タンク螺旋軸２０の前部は、グレンタンク５の前壁５Ａにベアリングを介して回転自在に装着され、タンク螺旋軸２０の後部は、連通室９の後壁９Ｂにベアリングを介して回転自在に装着されている。
【００２３】
図８に示すように、タンク螺旋軸２０の上側には、正面視において略への字状に形成された螺旋カバー２５を装着する前後方向に延在する支軸２４が設けられている。支軸２４の前部は、グレンタンク５の前壁５Ａに固定され、支軸２４の後部は、グレンタンク５の後壁５Ｂに固定されている。なお、グレンタンク５内に貯留された穀粒を効率良く下側に向かった落下させるために、タンク螺旋軸２０、支軸２４と揺動軸３１を左右方向において同一位置に設けるのが好適である。
【００２４】
螺旋カバー２５は、支軸２４に固定される正面視において略への字状に形成された支持部材２５Ａと左右の支持部材２５Ａにそれぞれ装着されるカバープレート２５Ｂから構成されている。また、左右に設けられたカバープレート２５Ｂは、ボルト等の締結手段によって着脱自在に装着されており、カバープレート２５Ｂの下部の先端部とグレンタンク５の左右底壁５Ｃ，５Ｄの間隔を調整できるように長穴が開口されている。これにより、グレンタンク５内に貯留された穀粒を搬送螺旋２０Ａの左右に略均等に落下させることができ、グレンタンク５内での貯留の滞留を防止することができる。
【００２５】
図６〜９に示すように、支軸２４の上側には、揺動装置３０を構成する拡散棒３２を装着する前後方向に延在する揺動軸３１が設けられている。揺動軸３１の前部は、グレンタンク５の前壁５Ａに開口され開口部３３を覆う前蓋３４にベアリング３５Ａを介して回転自在に装着され、拡散棒３２の後部は、グレンタンク５の後壁５Ｂにベアリング３９Ａを介して回転自在に装着されている。なお、前蓋３４は、グレンタンク５の前壁５Ａの前面にボルト等の締結手段によって着脱自在に装着されており、ベアリング３５Ａは、前蓋３４の前面にハウジング３５を介してボルト等の締結手段によって固定されている。また、ベアリング３９Ａは、後壁５Ｂの前面にハウジング３９を介してボルト等の締結手段によって固定されている。
【００２６】
グレンタンク５から揺動軸３１を引き出す場合に、ベアリング３５Ａに挿入されている揺動軸３１の前部の脱落を防止するために、揺動軸３１におけるベアリング３５Ａの後側に対応する部位にはＣリング等の脱落防止部材４７が設けられている。なお、脱落防止部材４７の外周部は、ハウジング３５の内周部に係合されている。
【００２７】
また、グレンタンク５に揺動軸３１を組み込む場合には、前側から揺動軸３１の後部をハウジング３９に内装されているベアリング３９Ａに挿入する。なお、図９に示すグレンタンク５の後壁５Ｂの開口部を覆う後蓋４８を取り外して揺動軸３１の後部を掴んで案内することによって揺動軸３１の後部をベアリング３９Ａに容易に挿入することができる。
【００２８】
これにより、グレンタンク５の前壁５Ａを取外すことなく、グレンタンク５の前壁５Ａから前壁５Ａに装着された前蓋３４を取外すことによって揺動装置３０を構成する揺動軸３１と拡散棒３２を一体としてグレンタンク５の外部に取出すことができ、例えば、変形した拡散棒３２を交換作業を簡易に行うことができる。また、揺動軸３１の前側を軸支するベアリング３５Ａを内装するハウジング３５を揺動軸３１と一体として取外すことができるので、再びグレンタンク５内に揺動軸３１と拡散棒３２を組み込む組込み作業を簡易に行うことができる。なお、本願の揺動装置３０とは、揺動軸３１、支持部材と拡散棒３２を総称である。
【００２９】
揺動軸３１の外周面は、拡散棒３２を揺動軸３１に着脱する正面視において逆Ｕ字形状に形成された支持部材３６を確実に固定するために、正面視において６角形状に形成されている。また、支持部材３６は、揺動軸３１の上側から揺動軸３１に挿嵌させた後に、支持部材３６の左右の下部をカラー３６Ａを介在させてボルト等の締結手段によって着脱自在に装着されている。
【００３０】
支持部材３６の上部の左右外周部には、それぞれ拡散棒３２の基部が固定されている。
支持部材３６の左側に固定される左側拡散棒３２Ａは、支持部材３６の上部の左外周部に固定された基部から正面視において左下側に向かって延在する傾斜部３７Ａと、傾斜部３７Ａの下端部から前側に向かって延在する水平部３７Ｂから形成されている。また、支持部材３６の右側に固定される右側拡散棒３２Ｂは、支持部材３６の上部の右外周部に固定された基部から正面視において右下側に向かって延在する傾斜部３８Ａと、傾斜部３８Ａの下端部から後側に向かって延在する水平部３８Ｂから形成されている。
【００３１】
また、左側拡散棒３２Ａの水平部３７Ｂは、螺旋カバー２５の左側に設けられたカバープレート２５Ｂの先端部よりも左右方向においてグレンタンク５の左側底壁５Ｃに設け、
右側拡散棒３２Ｂの水平部３８Ｂは、螺旋カバー２５の右側に設けられたカバープレート２５Ｂの先端部よりも左右方向においてグレンタンク５の右側底壁５Ｄに設けられている。これにより、穀粒、特に湿った穀粒を、下側の搬送螺旋２０Ａを有するタンク螺旋軸２０に効率良く落下させることができる。なお、本実施形態においては、揺動軸３１の前後方向に所定の間隔を隔てて３個の拡散棒３２が装着されているが、２枚あるいは４枚の拡散棒３２を装着することもできる。
【００３２】
次に、プーリ１９を介してタンク螺旋軸２０に伝動されたエンジンの回転を揺動装置３０の揺動軸３１に伝動する構成について説明する。図７，８に示すように、揺動軸３１の前端部に装着されたプーリ１９の後側に延在して形成されているボス１９Ａにベアリング４０Ａを装着している。また、プーリ１９のボス１９Ａの軸芯は、プーリ１９の前後方向の軸芯に対して上下方向においてズラして設けられている。なお、偏芯ベアリング４０Ａは、ハウジング４０に内装されている。これにより、プーリ１９が回転すると正面視においてハウジング４０の外周部の上部は、タンク螺旋軸２０の軸芯を中心として上下方向に往復移動される。
【００３３】
ハウジング４０の外周部の上部には、上左側に向かって延在する下側アーム４１の基部が固定されている。また、下側アーム４１の上部には、連結ハウジング４２の後面に設けられた前後方向に延在する連結ピン４２Ｂの後部を内嵌する開口部（図示省略）が開口されている。
【００３４】
連結ピン４２Ｂは、ベアリング４２Ｂによって回転自在に軸支されており、ベアリング４２Ｂは、連結ハウジング４２に内装されている。また、連結ピン４２Ｂの脱落を防止するために、ベアリング４２Ｂの前側に位置する連結ピン４２Ｂの前部には、Ｃリング４２Ｃが設けられている。
【００３５】
連結ハウジング４２の外周部には、上右側に向かって延在する上側アーム４３の基部が固定されている。また、上側アーム４３の上部には前後方向に向かって延在する筒状の連結部４３Ａが設けられている。連結部４３Ａは、ハウジング３５Ａに内装されているベアリング３５の前側に位置する揺動軸３１の前部に外嵌され、揺動軸３１の外周部の前部に形成されたキー溝と連結部４３Ａの内周部に形成されたキー溝に埋め込まれたキー４４を介して連結されている。なお、キー４４の脱落を防止し、揺動軸３１と連結部４３Ａの連結状態を確実に維持するために、連結部４３Ａは、カラー４５を介してボルト等の締結手段によって着脱自在に装着されている。
【００３６】
これにより、正面視において連結ハウジング４２は、揺動軸３１を中心として上下方向に往復移動され、正面視において揺動軸３１は、揺動軸３１の軸芯を中心として所定の角度揺動される。揺動軸３１の揺動に伴って、正面視において揺動軸３１に装着された拡散棒３２が揺動軸３１の軸芯を中心として揺動して、螺旋カバー２５の上側に位置する穀粒を揺することにより、螺旋カバー２５の上側における穀粒の滞留を防止して、搬送螺旋２０Ａを有するタンク螺旋軸の上側に穀粒を効率良く落下させることができる。また、揺動軸３１の揺動角度を大きくするために、上側アーム４３の長さを下側アーム４１の長さよりも短く設定するのが好適であり、操縦部６の後側とグレンタンク５の前側の間に形成される空間を有効利用するために、側面視において下側アーム４１と上側アーム４３をグレンタンク５の前壁５Ａとタンク螺旋軸２０の前端部に装着されたプーリ１９の間に設けるのが好適である。
【００３７】
また、変形した拡散棒３２の交換作業を行う場合には、ボルトを緩めてカラー４５を取り外すことにより、揺動軸３１の前部から連結部４３Ａを前側に取り外し、下側アーム４１の開口部から連結ピン４２Ｂを前側に容易に取り外すことができ、グレンタンク５の前壁５Ａから前蓋３４を取り外すことにより、揺動装置３０とハウジング３５に内装されたベアリング３５Ａを一体として取り外すことができ交換作業に係る負荷を軽減することができる。
【００３８】
次に、排出筒７に替えて、上下方向に延在する縦排出筒と前後方向に延在する横排出筒を有する排出筒５０を上載する上載装置５１について説明する。
図１０に示すように、上載装置５１は、脱穀装置３に支持される装着される上下方向に延在する支柱５２と、基部が支柱５２の上部に回転自在に支持された水平プレート５３と、下部が水平プレート５３に内嵌され上下方向に移動可能なパイプ５４から形成されている。なお、パイプ５４の上端部には、正面視において略円弧状に形成された上載プレート５４Ａが固定されている。
【００３９】
汎用コンバインの非脱穀刈取時には、水平プレート５３の先端部を支柱５２を中心と左側に移動させ、パイプ５４を下側に移動させて、排出筒５０を上載プレート５４Ａに上載する。一方、汎用コンバインの脱穀刈取時には、水平プレート５３の先端部を支柱５２を中心と右側に移動させ、パイプ５４を上側に移動させて、排出筒５０を上載プレート５４Ａに上載する。これにより、汎用コンバインの非脱穀刈取時、例えば、走行時には排出筒５０の横排出筒を機体の上側内に収納でき、排出筒５０の横排出筒と外部との衝突が回避される。一方、汎用コンバインの脱穀刈取時には、排出筒５０の横排出筒を機体の上左側に位置させているので、掻込み装置４Ａが上昇した場合においても排出筒５０の横排出筒
と掻込み装置４Ａとの干渉を防止することができる。
【産業上の利用可能性】
【００４０】
本発明は、汎用コンバインのグレンタンクの揺動装置に利用できるものである。
【符号の説明】
【００４１】
５          グレンタンク
５Ａ        前壁
５Ｂ        後壁
５Ｃ        左側底壁
５Ｄ        右側底壁
２０        タンク螺旋軸
２０Ａ      搬送螺旋
２４        支軸
２５        螺旋カバー
３０        揺動装置
３１        揺動軸
３２        拡散棒
３３        開口部
３４        前蓋
４７        脱落防止部材
【図１】
2016154472.tif 000003
【図２】
2016154472.tif 000004
【図３】
2016154472.tif 000005
【図４】
2016154472.tif 000006
【図５】
2016154472.tif 000007
【図６】
2016154472.tif 000008
【図７】
2016154472.tif 000009
【図８】
2016154472.tif 000010
【図９】
2016154472.tif 000011
【図１０】
2016154472.tif 000012